【手続補正書】
【提出日】平成23年12月12日(2011.12.12)
【手続補正１】
【補正対象書類名】特許請求の範囲
【補正対象項目名】全文
【補正方法】変更
【補正の内容】
【特許請求の範囲】
【請求項１】
原稿画像から１画素未満のずれを有する複数枚数分の画像データを読み取るセンサを有し、
前記センサによって読み取られた前記原稿画像を出力する際の画像の解像度を取得する出力解像度取得手段、
前記出力解像度取得手段の結果により第１の出力解像度が取得された場合は、第１の枚数分の画像データを前記センサによって読み取り、第２の出力解像度が取得された場合は、前記第１の枚数とは異なる第２の枚数分の画像データを前記センサによって読み取る画像データ数制御手段、
前記画像データ数制御手段にて制御された枚数分の画像データの傾斜を補正する補正手段、
前記補正手段で傾きを補正された複数枚数分の画像データを用いて補間処理を行うことで、読み取った画像データの解像度よりも高い解像度の画像データを得る高解像度変換手段、
を有することを特徴とする画像処理装置。
【請求項２】
前記出力解像度取得手段は、ユーザから指定された解像度により、前記原稿画像を出力する際の画像の解像度を決定することを特徴とする請求項１に記載された画像処理装置。
【請求項３】
前記出力解像度取得手段は、前記原稿画像の種類に応じて、前記原稿画像を出力する際の画像の解像度を決定することを特徴とする請求項１に記載された画像処理装置。
【請求項４】
前記出力解像度取得手段は、前記原稿画像を出力する際の変倍率により、前記原稿画像を出力する際の画像の解像度を決定することを特徴とする請求項１に記載された画像処理装置。
【請求項５】
前記出力解像度取得手段は、前記原稿画像を出力する際のレイアウト情報により、前記原稿画像を出力する際の画像の解像度を決定することを特徴とする請求項１に記載された画像処理装置。
【請求項６】
前記出力解像度取得手段は、操作部より指定された上限解像度により、前記原稿画像を出力する際の画像の解像度を決定することを特徴とする請求項１に記載された画像処理装置。
【請求項７】
前記出力解像度取得手段は、前記原稿画像をスキャンした際のスキャン解像度より、前記原稿画像を出力する際の画像の解像度を決定することを特徴とする請求項１に記載された画像処理装置。
【請求項８】
原稿画像から１画素未満のずれを有する複数枚数分の画像データを読み取るセンサを有する画像処理装置における画像処理方法であり、
前記センサによって読み取られた前記原稿画像を出力する際の画像の解像度を取得する出力解像度取得ステップ、
前記出力解像度取得ステップの結果により第１の出力解像度が取得された場合は、第１の枚数分の画像データを前記センサによって読み取り、第２の出力解像度が取得された場合は、前記第１の枚数とは異なる第２の枚数分の画像データを前記センサによって読み取る画像データ数制御ステップ、
前記画像データ数制御ステップにて制御された枚数分の画像データの傾斜を補正する補正ステップ、
前記補正ステップで傾きを補正された複数の枚数分の画像データを用いて補間処理を行うことで、読み取った画像データの解像度よりも高い解像度の画像データを得る高解像度変換ステップ、
を有することを特徴とする画像処理方法。
【請求項９】
前記出力解像度取得ステップは、ユーザから指定された解像度により、前記原稿画像を出力する際の画像の解像度を決定することを特徴とする請求項８に記載された画像処理方法。
【請求項１０】
前記出力解像度取得ステップは、前記原稿画像の種類に応じて、前記原稿画像を出力する際の画像の解像度を決定することを特徴とする請求項８に記載された画像処理方法。
【請求項１１】
前記出力解像度取得ステップは、前記原稿画像を出力する際の変倍率により、前記原稿画像を出力する際の画像の解像度を決定することを特徴とする請求項８に記載された画像処理方法。
【請求項１２】
前記出力解像度取得ステップは、前記原稿画像を出力する際のレイアウト情報により、前記原稿画像を出力する際の画像の解像度を決定することを特徴とする請求項８記載された画像処理方法。
【請求項１３】
前記出力解像度取得ステップは、操作部より指定された上限解像度により、前記原稿画像を出力する際の画像の解像度を決定することを特徴とする請求項８に記載された画像処理方法。
【請求項１４】
前記出力解像度取得ステップは、前記原稿画像をスキャンした際のスキャン解像度より、前記原稿画像を出力する際の画像の解像度を決定することを特徴とする請求項８に記載された画像処理方法。
【請求項１５】
原稿画像の読み取り位置が、複数のセンサのうち第１のセンサと該第１のセンサに隣接する第２のセンサ間で１画素未満ずれるように、前記第１のセンサと前記第２のセンサが配置されたセンサを有し、
前記センサによって読み取られた前記原稿画像を出力する際の画像の解像度を取得する出力解像度取得手段、
前記出力解像度取得手段の結果により第１の出力解像度が取得された場合は、第１の枚数分の画像データを前記センサによって読み取り、第２の出力解像度が取得された場合は、前記第１の枚数とは異なる第２の枚数分の画像データを前記センサによって読み取る画像データ数制御手段、
前記画像データ数制御手段によって制御された枚数分の画像データを用いて補間処理を行い、読み取った画像データの解像度よりも高い解像度の画像データを得る高解像度変換手段、
を有することを特徴とする画像処理装置。
【請求項１６】
原稿画像の読み取り位置が、複数のセンサのうち第１のセンサと該第１のセンサに隣接する第２のセンサ間で１画素未満ずれるように、前記第１のセンサと前記第２のセンサが配置されたセンサを有した画像処理装置における画像処理方法であり、
前記センサによって読み取られた前記原稿画像を出力する際の画像の解像度を取得する出力解像度取得ステップ、
前記出力解像度取得ステップの結果により第１の出力解像度が取得された場合は、第１の枚数分の画像データを前記センサによって読み取り、第２の出力解像度が取得された場合は、前記第１の枚数とは異なる第２の枚数分の画像データを前記センサによって読み取る画像データ数制御ステップ、
前記画像データ数制御ステップによって制御された枚数分の画像データを用いて補間処理を行い、読み取った画像データの解像度よりも高い解像度の画像データを得る高解像度変換ステップ、
を有することを特徴とする画像処理方法。
【請求項１７】
原稿画像から１画素未満のずれを有する複数の枚数分の画像データを読み取るセンサを有する画像処理装置における画像処理方法をコンピュータに実行させるプログラムであって、
前記プログラムは
前記センサによって読み取られた前記原稿画像を出力する際の画像の解像度を取得する出力解像度取得ステップ、
前記出力解像度取得ステップの結果により第１の出力解像度が取得された場合は、第１の枚数分の画像データを前記センサによって読み取り、第２の出力解像度が取得された場合は、前記第１の枚数とは異なる第２の枚数分の画像データを前記センサによって読み取る画像データ数制御ステップ、
前記画像データ数制御ステップにて制御された枚数分の画像データの傾斜を補正する補正ステップ、
前記補正ステップで傾きを補正された複数枚数分の画像データを用いて補間処理を行うことで、読み取った画像データの解像度よりも高い解像度の画像データを得る高解像度変換ステップ、
を実行させるためのプログラム。
【手続補正２】
【補正対象書類名】明細書
【補正対象項目名】００１４
【補正方法】変更
【補正の内容】
【００１４】
上記課題を解決するため、本発明の画像処理装置は、原稿画像から１画素未満のずれを有する複数枚数分の画像データを読み取るセンサを有し、前記センサによって読み取られた前記原稿画像を出力する際の画像の解像度を取得する出力解像度取得手段、前記出力解像度取得手段の結果により第１の出力解像度が取得された場合は、第１の枚数分の画像データを前記センサによって読み取り、第２の出力解像度が取得された場合は、第１の枚数とは異なる第２の枚数分の画像データを前記センサによって読み取る画像データ数制御手段、前記画像データ数制御手段にて制御された枚数分の画像データの傾斜を補正する補正手段、前記補正手段で傾きを補正された複数枚数分の画像データを用いて補間処理を行うことで、読み取った画像データの解像度よりも高い解像度の画像データを得る高解像度変換手段、を有することを特徴とする。